(57)【特許請求の範囲】
【請求項１】
排紙部の特定空間領域を遮るものを検知すべく前記特定空間領域の所定の位置に設けられたレーザ発光部と、レーザ受光部と、複数のレーザ反射部とを備える空間センサと、
前記排紙部を照明する照明部と、
を備え、
前記照明部は、前記空間センサが前記特定空間領域を遮るものを検知したとき前記排紙部を照明する、
ことを特徴とする多機能型画像形成装置。
【請求項２】
前記排紙部に配置された人感センサを更に備え、前記空間センサは前記人感センサが人の気配を検知したときのみ前記特定空間領域を遮るものを検知するためのセンサ機能を作動させる、ことを特徴とする請求項１記載の多機能型画像形成装置。
【請求項３】
前記人感センサは前記排紙部の正面側に配置され、前記照明部は前記排紙部の排紙トレーの排紙面を照明するよう配置され、前記特定空間領域は前記排紙部の正面側で且つ前記排紙面よりも手前側において前記排紙面と該排紙面の上方に位置するスキャナ部底面とで形成される空間である、ことを特徴とする請求項２記載の多機能型画像形成装置。
【請求項４】
前記照明部は、前記空間センサが前記特定空間領域を遮るものを検知したときから所定の時間だけ前記排紙部を照明する、ことを特徴とする請求項１記載の多機能型画像形成装置。
【発明の詳細な説明】
【技術分野】
【０００１】
本発明は、排紙トレーに排出された印刷物を取り残し等のないように取り出し易くする節電型で使い勝手のよい多機能型画像形成装置に関する。
【背景技術】
【０００２】
近年、プリンタ、スキャナ、コピー機、ＦＡＸなどの機能を１台で兼ね備えるＭＦＰ（Multi Function Peripheral:多機能周辺装置、又はMulti Function Printer：多機能型画像形成装置）と称される機器が実用化されている。
【０００３】
このようなＭＦＰ等の多機能画像形成装置においては、全体の構成上、印刷物の排紙トレー部は、スキャナ等の下側に配置されている場合が多いため、排紙トレー部がスキャナの陰に隠れて排紙トレー部が薄暗い状態に置かれていることが多い。
【０００４】
そこで、排紙トレー部の上部に照明ランプを設け、用紙が排紙トレー部に排出されたとき、一定時間、排紙トレー部を照明するようにした構成が提案されている。（例えば、特許文献１参照。）
【０００５】
尚、この特許文献１には、ＭＦＰに人が近づいたら照明ランプを点灯するようにしても良い旨の提案もされている。
【先行技術文献】
【特許文献】
【０００６】
【特許文献１】特開平０８−３３９１０７号公報
【発明の概要】
【発明が解決しようとする課題】
【０００７】
しかしながら、印刷物が排出された直後に、その排出された印刷物をユーザがとりに来ることは意外に少ない。実際には印刷物が排出された後、暫くしてから印刷物を取りにくることが多い。したがって、特許文献１の技術では、せっかくの照明機能が役立っていないという課題がある。
【０００８】
また、単に人が近づいたら点灯するというのでは、不特定多数の人が頻繁に通過するような場所にＭＦＰが設置されているような場合であると結局常時点灯しているのと同じことになって節電の目的を果たしていないという課題がある。
【課題を解決するための手段】
【０００９】
上記の課題を解決するために、本発明の多機能画像形成装置は、排紙部の特定空間領域を遮るものを検知すべく上記特定空間領域の所定の位置に設けられたレーザ発光部と、レーザ受光部と、複数のレーザ反射部とを備える空間センサと、上記排紙部を照明する照明部と、を備え、上記照明部は、上記空間センサが上記特定空間領域を遮るものを検知したとき上記排紙部を照明する、ように構成される。
【００１０】
この多機能型画像形成装置は、上記排紙部に配置された人感センサを更に備え、上記空間センサは上記人感センサが人の気配を検知したときのみ上記特定空間領域を遮るものを検知するためのセンサ機能を作動させる、ように構成される。
【００１１】
上記の多機能型画像形成装置において、例えば、上記人感センサは上記排紙部の正面側に配置され、上記照明部は上記排紙部の排紙トレーの排紙面を照明するよう配置され、上記特定空間領域は上記排紙部の正面側で且つ上記排紙面よりも手前側において上記排紙面と該排紙面の上方に位置するスキャナ部底面とで形成される空間である、ように構成される。
【００１２】
そして、上記照明部は、例えば、上記空間センサが上記特定空間領域を遮るものを検知したときから所定の時間だけ上記排紙部を照明する、ように構成される。
【発明の効果】
【００１３】
本発明の多機能型画像形成装置は、人感センサが人の気配を検知し、空間センサが例えば人の手のように特定空間領域を遮るものを検知したときに、照明部が排紙部の排紙トレーの排紙面を一定期間照明するので、照明部の消費電力を可及的に節電するという効果を奏する。
【図面の簡単な説明】
【００１４】
【図１】本発明の実施例１に係る多機能型画像形成装置（ＭＦＰ）の内部構成を説明する断面図である。
【図２】(a) は実施例１に係るＭＦＰの正面斜め右上方から見た外観斜視図であり、(b) は正面斜め左横方向から見た外観斜視図である。
【図３】実施例１に係るＭＦＰの制御装置を含む回路ブロック図である。
【図４】実施例１に係るＭＦＰの排紙トレーに対する照明の動作状態を示す図である。
【発明を実施するための形態】
【００１５】
以下、本発明の実施の形態について、詳細に説明する。
【実施例１】
【００１６】
図１は、本発明の実施例１に係る多機能型画像形成装置（ＭＦＰ）の内部構成を説明する断面図である。
【００１７】
図２(a) は実施例１に係るＭＦＰの正面斜め右上方から見た外観斜視図であり、(b) は正面斜め左横方向から見た外観斜視図である。図１及び図２(a),(b) に示すように、ＭＦＰ１は、画像形成部２と、イメージスキャナ部３とで構成されている。
【００１８】
先ず、画像形成部２から説明する。
画像形成部２は、電子写真式で二次転写方式のタンデム型のカラー画像形成装置であり画像形成ユニット部４、中間転写ベルトユニット５、給紙部６、両面印刷用搬送ユニット７、及び電装部１０で構成されている。
【００１９】
上記画像形成ユニット部４は、同図の右から左へ４個の画像形成ユニット８（８Ｍ、８Ｃ、８Ｙ、８Ｋ）を多段式に並設した構成からなる。
【００２０】
上記４個の画像形成ユニット８のうち上流側（図の右側）の３個の画像形成ユニット８Ｍ、８Ｃ及び８Ｙは、それぞれ減法混色の三原色であるマゼンタ（Ｍ）、シアン（Ｃ）、イエロー（Ｙ）の色トナーによるモノカラー画像を形成する。
【００２１】
最下流の画像形成ユニット８Ｋは、単独で使用される場合は白黒の画像を形成し、３個の画像形成ユニット８Ｍ、８Ｃ及び８Ｙと共に使用される場合は、主として文字や画像の暗黒部分等に用いられるブラック（Ｋ）トナーによるモノクロ画像を形成する。
【００２２】
上記の各画像形成ユニット８は、トナー容器（トナーカートリッジ）に収納されたトナーの色を除き全て同じ構成である。したがって、以下ブラック（Ｋ）用の画像形成ユニット８Ｋを例にしてその構成を説明する。
【００２３】
画像形成ユニット８は、最下部に感光体ドラム９を備えている。この感光体ドラム９は、その周面が例えば有機光導電性材料で構成されている。この感光体ドラム９の周面近傍を取り巻いて、クリーナ１１、帯電ローラ１２、光書込ヘッド１３、及び現像器１４の現像ローラ１５が配置されている。
【００２４】
現像器１４は、上部のトナー容器に同図にはＭ、Ｃ、Ｙ、Ｋ（Ｒ）で示すようにマゼンタ（Ｍ）、シアン（Ｃ）、イエロー（Ｙ）、ブラック（Ｋ）のいずれかのトナーを収容し、中間部には下部へのトナー補給機構を備えている。
【００２５】
また、現像器１４の下部には側面開口部に上述した現像ローラ１５を備え、内部にはトナー撹拌部材、現像ローラ１５にトナーを供給するトナー供給ローラ１６、現像ローラ１５上のトナー層を一定の層厚に規制するドクターブレード等を備えている。
【００２６】
中間転写ベルトユニット５は、本体装置のほぼ中央で図の左右のほぼ端から端まで扁平なループ状になって延在する無端状の転写ベルト１７と、この転写ベルト１７を掛け渡されて転写ベルト１７を図の反時計回り方向に循環移動させる駆動ローラ１８と従動ローラ１９を備えている。
【００２７】
上記の転写ベルト１７は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００２８】
この中間転写ベルトユニット５は、上記扁平なループ状の転写ベルト１７のループ内にベルト位置制御機構２１を備えている。ベルト位置制御機構２１は、転写ベルト１７を介して感光体ドラム９の下部周面に押圧する導電性発泡スポンジから成る一次転写ローラ２２を備えている。
【００２９】
ベルト位置制御機構２１は、マゼンタ（Ｍ）、シアン（Ｃ）及びイエロー（Ｙ）の３個の画像形成ユニット８Ｍ、８Ｃ及び８Ｙに対応する３個の一次転写ローラ２２を鉤型の支持軸を中心に同一周期で回転移動させる。
【００３０】
そして、ベルト位置制御機構２１は、ブラック（Ｋ）の画像形成ユニット８Ｋに対応する１個の一次転写ローラ２２を上記３個の一次転写ローラ２２の周期と異なる回転移動周期で回転移動させて転写ベルト１７を感光体ドラム９から離接させる。
【００３１】
すなわち、ベルト位置制御機構２１は、中間転写ベルトユニット５の転写ベルト１７の位置を、フルカラーモード（４個全部の一次転写ローラ２２が転写ベルト１７に当接）、モノクロモード（画像形成ユニット８Ｋに対応する一次転写ローラ２２のみが転写ベルト１７に当接）、及び全非転写モード（４個全部の一次転写ローラ２２が転写ベルト１７から離れる）に切換える。
【００３２】
上記の中間転写ベルトユニット５には、上面部のベルト移動方向最上流側の画像形成ユニット８Ｍの更に上流側に、ベルトクリーナユニットが配置され、下面部のほぼ全面に沿い付けるように平らで薄型の廃トナー回収容器２３が着脱自在に配置されている。
【００３３】
給紙部６は、上下２段に配置された２個の給紙カセット２４を備え、２個の給紙カセット２４の給紙口（図の右方）近傍には、それぞれ用紙取出ローラ２５、給送ローラ２６、捌きローラ２７、待機搬送ローラ対２８が配置されている。
【００３４】
待機搬送ローラ対２８の用紙搬送方向（図の鉛直上方向）には、転写ベルト１７を介して従動ローラ１９に圧接する二次転写ローラ２９が配設されて、用紙への二次転写部を形成している。
【００３５】
この二次転写部の下流（図では上方）側にはベルト式熱定着装置３１が配置されて、ベルト式熱定着装置３１の更に下流側には、定着後の用紙をベルト式熱定着装置３１から搬出する搬出ローラ対３２、及びその搬出される用紙を、装置上方に形成されている排紙部３０に排紙する排紙ローラ対３４が配設されている。
【００３６】
排紙部３０は、排紙トレー３３の排紙面とこの排紙面の上方に位置するイメージスキャナ部３の底面とで形成される空間を構成し、排紙ローラ対３４によって排紙トレー３３上に排出された用紙を適宜枚数積載可能である。
【００３７】
両面印刷用搬送ユニット７は、上記搬出ローラ対３２から排紙ローラ対３４に至る搬送路から図の右横方向に分岐した開始返送路３５ａ、それから下方に曲がる中間返送路３５ｂ、更に上記とは反対の左横方向に曲がって最終的に返送用紙を反転させる終端返送路３５ｃを備えている。
【００３８】
更に、両面印刷用搬送ユニット７は、上記の返送路の途中に配置された４組の返送ローラ対３６ａ、３６ｂ、３６ｃ、３６ｄを備えている。そして、上記終端返送路３５ｃの出口は、給紙部６の下方の給紙カセット２４に対応する待機搬送ローラ対２８への搬送路に連絡している。
【００３９】
電装部１０は、複数の電子部品からなる詳しくは後述する制御装置が搭載された回路基盤を備えている。
【００４０】
また、本例において中間転写ベルトユニット５の上面部には、クリーニング部３７が配置されている。クリーニング部３７は、転写ベルト１７の上面に当接して廃トナーを擦り取って除去して、図示を省略したベルトクリーナユニットの一時貯留部に溜め込む。
【００４１】
そして、クリーニング部３７は、その溜め込まれた廃トナーを搬送スクリューにより落下筒内を上部まで搬送し、落下筒を介して廃トナー回収容器２３に送り込んでいる。
【００４２】
図１に示すように、この画像形成部２は、従来の用紙に直接トナー像を転写する方式ではなく、待機搬送ローラ対２８により二次転写部まで鉛直方向に搬送される用紙に中間転写ベルト１７を介してトナー像を転写する方式となっている。
【００４３】
したがって、用紙の搬送路に発生する用紙ジャム等の不具合を回復するメンテナンス処理時には、中間転写ベルトユニット７を下部の不図示のヒンジを支点にして外側に開き、図１の右側を開放するのみで対処できるようになっている。
【００４４】
そして、用紙ジャム等の不具合はキット類の配設部では発生しないので、図１の左側に集中するキット類などの消耗品の着脱時や電装部１０の保守時には、前扉２０を開いて、キット類又は回路基板等を長手方向に入替え操作するだけで良いように構成されている。
【００４５】
尚、画像形成部２における画像形成処理については、通常の電子写真式のトナーによる画像形成処理（印字処理）であり、特別な処理は無いので、画像形成処理の細部については説明を省略する。
【００４６】
次に、イメージスキャナ部３について説明する。
イメージスキャナ部３は、通常のスキャナと同様に、フラットベッド部３８と、ＡＤＦ（Automatic Document Feeder ）部３９を備えている。フラットベッド部３８の上面には透明ガラス板から成る原稿台が配設されている。
【００４７】
フラットベッド部３８の上面には、ＡＤＦ部３９の排紙トレー部４２の下面が開閉可能に当接している。図２(a),(b) に示す取っ手４１を手で上に持ち上げてＡＤＦ部３９を上方に回動させて排紙トレー部４２の下面とフラットベッド部３８の上面との係合面を開くと、フラットベッド部３８上面の原稿台が露出するようになっている。
【００４８】
また、フラットベッド部３８の内底部には、刃付きベルトとシャフト、又は駆動紐とレール等から成る副走査方向スキャン部４３が配置されている。この副走査方向スキャン部４３には、長尺状ＬＥＤ（light emitting diode）アレイと長尺イメージセンサから成る読取部４４が両方向矢印ａで示すように左右に移動可能に保持されている。
【００４９】
また、フラットベッド部３８の前部には、図２(a),(b) に示すように操作パネル４５が配設されている。操作パネル４５は、やや前下がりに傾斜した上面に、タッチ入力が可能な表示部４６と機械的な入力が可能な複数のボタンから成るボタン部４７を備えている。
【００５０】
一方、ＡＤＦ部３９は、排紙トレー部４２の左端部に旋回搬送部４８を備えている。旋回搬送部４８には給紙トレー４９が装着されている。給紙トレー４９は排紙トレー部４２の上方に位置し、排紙トレー部４２に所定枚数の原稿又は用紙を排出載置可能なように排紙トレー部４２の上面との間隔を十分に空けて配設されている。
【００５１】
給紙トレー４９は、その両側部に、側部方向に任意に移動可能な横幅規制板５１を備えている。給紙トレー４９に載置された原稿又は用紙は、横幅規制板５１に規制されて斜行を禁止され、旋回搬送部４８に給送される。
【００５２】
旋回搬送部４８は、図１に示すように、給紙トレー４９の給紙端に設けられた給紙ベルト５２、給紙ベルト５２に接し、逆方向に回転して原稿又は用紙の重送を防止する捌きローラ５３、それらの下流に配置された待機ローラ対５４を備えている。
【００５３】
また、旋回搬送部４８は、待機ローラ対５４の下流に、旋回搬送ローラ５５、この旋回搬送ローラ５５の周面にほぼ等間隔に配置され、旋回搬送ローラ５５の周面に圧接して従動する３個の従動ローラ５６（５６ａ、５６ｂ、５６ｃ）を備えている。
【００５４】
また、旋回搬送部４８は、三番目の従動ローラ５６ｃの下流において給紙トレー４９の給紙端と排紙トレー部４２の左端部との間に配置された排紙ローラ対５８を備えている。
【００５５】
そして、旋回搬送部４８の二番目の従動ローラ５６ｂと三番目の従動ローラ５６ｃとの間に対応するフラットベッド部３８側の位置に、この位置をホームポジションとする前述した読取兼消色部４４が配置されている。
【００５６】
次に、上記構成におけるＭＦＰ１の電装部１０に格納されている制御装置を含む制御回路について説明する。
図３は、ＭＦＰ１の制御装置を含む回路ブロック図である。
【００５７】
図３に示すように回路ブロックは、ＣＰＵ（central processing unit)６０を中心にして、このＣＰＵ６０に、それぞれデータバスを介してインターフェイスコントローラ（Ｉ／Ｆ＿ＣＯＮＴ）６１、プリンタコントローラ（ＰＲ＿ＣＯＮＴ）６２、及びスキャナコントローラ（ＳＣ＿ＣＯＮＴ）６３が接続されている。
【００５８】
上記のＰＲ＿ＣＯＮＴ６２にはプリンタ印字部６４が接続されている。プリンタ印字部６４には、特には図示しないが、ベルト駆動部、搬送機構駆動部、印加電圧出力部等が接続されている。
【００５９】
また、ＳＣ＿ＣＯＮＴ６３には図１に示したイメージスキャナ部３が接続されている。イメージスキャナ部３には読取部４４が接続されている。
【００６０】
また、ＣＰＵ６０には、ＲＯＭ（read only memory）６７、ＥＥＰＲＯＭ（electrically erasable programmable ROM）６８、本体操作部の操作パネル４５、及び各部に配置されたセンサからの出力が入力されるセンサ部６９、排紙トレー３３を照明する照明部７０が接続されている。
【００６１】
上記のＲＯＭ６７には、システムプログラムが記憶され、ＣＰＵ６０は、このシステムプログラムに従って各部を制御して処理を行う。
【００６２】
すなわち、各部において、先ず、Ｉ／Ｆ＿ＣＯＮＴ６１は、例えばパーソナルコンピュータ等のホスト機器から供給される印字データをビットマップデータに変換し、フレームメモリ７１に展開する。
【００６３】
フレームメモリ７１は、ブラック（Ｋ）、マゼンタ（Ｍ）、シアン（Ｃ）、イエロー（Ｙ）ごとに記憶エリアが設定されており、各トナー用の画像データが対応するエリアに展開される。
【００６４】
フレームメモリ７１に展開されたデータはＰＲ＿ＣＯＮＴ６２に出力され、ＰＲ＿ＣＯＮＴ６２からプリンタ印字部６４に出力される。
【００６５】
プリンタ印字部６４は、エンジン部であり、ＰＲ＿ＣＯＮＴ６２からの制御の下で、図１に示した感光体ドラム９、一次転写ローラ２２等を含む回転駆動系、帯電ローラ１２、光書込ヘッド１３等の被駆動部を有する画像形成部の印加電圧などのプロセス負荷への駆動出力を制御する。
【００６６】
更にプリンタ印字部６４は、図示は省略しているが、中間転写ベルトユニット５の上下移動や転写ベルト１７の回転駆動、ベルト式定着装置３１のベルト駆動などを行うベルト駆動部、用紙取出ローラ２５〜排紙ローラ対３４等の回転駆動される各部からなる搬送機構を駆動する搬送機構駆動部への駆動出力を制御する。
【００６７】
そして、ＰＲ＿ＣＯＮＴ６２から出力されたブラック（Ｋ）、マゼンダ（Ｍ）、シアン（Ｃ）、イエロー（Ｙ）の各色のデータは、プリンタ印字部６４からそれぞれ対応する図１に示した光書込ヘッド２１に供給される。
【００６８】
ＳＣ＿ＣＯＮＴ６３は、操作パネル４５から出力される入力イベントで原稿の読取が指示されているときは、センサ部６９から出力されている検知信号により、原稿が給紙トレー４９に載置されているか、又はフラットベッド部３８の原稿台上に載置されているかを調べ、読取部４４のＬＥＤ光源により原稿の読取を実行するよう各部を制御する。
【００６９】
図１に示す読取部４４との原稿との動作の関係は、原稿がフラットベッド部３８に載置されている場合は、原稿は固定で、読取部４４が両方向矢印ａで示すように左右に移動する。
【００７０】
一方、原稿が給紙トレー４９に載置されたときは、読取部４４は、図１に示すホームポジション位置に固定され、原稿が旋回搬送部４８により旋回搬送されて、ホームポジション位置に対応する原稿台上を通過していく。
【００７１】
前述したように、読取部４４は長尺状ＬＥＤアレイと長尺イメージセンサから成り、これにより、原稿の主走査方向の画像が読み取られ、原稿と読取部４４が相対的に移動することにより、副走査方向の画像が読み取られる。
【００７２】
本例のＭＦＰ１は、原稿から読み取った文字や画像を、給紙カセット２４に収容されている用紙を用いて、画像形成部２において、複写することができる。
【００７３】
また、パーソナルコンピュータ等の不図示のホスト機器から有線・無線で入力される印字指示コマンドを含む画像情報に基づいて、給紙カセット２４に収容されている用紙を用いて、画像形成部２において、モノクロの文章を印字したり、フルカラーの画像を印刷（以下、印刷も含めて印字という）することができる。
【００７４】
このように、画像形成部２において、モノクロの文章を印字された又はフルカラーの画像を印字された用紙は、排紙トレー３３に排紙される。
【００７５】
図４は、排紙トレー３３に排紙された用紙を取り易くするために、排紙トレー３３上を照明する動作状態を示す図である。同図に示すように、フラットベッド部３８の下面には照明部７０が配置されている。
【００７６】
照明部７０は、排紙部３０の排紙トレー３３の排紙面、すなわち排紙トレー３３上に排出されて積載された用紙を照明するために配置されている。
【００７７】
上記の排紙トレー３３の排紙面の手前側すなわち本体装置正面側には、排紙トレー３３に排紙される用紙によって覆われることのない余地が常に露出している。本例では、この排紙面の余地と、排紙面の上方に位置するイメージスキャナ部３の底面とで形成される空間を、排紙部３０の特定空間領域とする。
【００７８】
この特定空間領域は、人が排紙トレー３３に排紙された用紙を取り込むに際して、必ず最初に手を差し入れる空間である。本例では、この特定空間領域を遮るものを検知する空間センサを備えている。
【００７９】
空間センサは、図４に示すように、特定空間領域の上方の一方の端部に配設されたレーザ発光部７２と、他方の端部に配設されたレーザ受光部７３と、これらの間で上下に複数配置されたレーザ反射部７４（７４−１、７４−２、７４−３）とを備えている。ただしレーザ反射部７４−１と７４−３は、図４では陰になって見えない。
【００８０】
この空間センサが作動すると、レーザ発光部７２から矢印ｂのように発射されたレーザ光は、レーザ反射部７４−１により矢印ｃのように反射されて斜めに折り返し、レーザ反射部７４−２により矢印ｄのように反射されて更に斜めに折り返す。
【００８１】
そして、この反射光は、更にレーザ反射部７４−３により矢印ｅのように反射されて斜めに折り返し、レーザ受光部７３に入射する。図３に示すセンサ部６９に対してレーザ受光部７３から発信される出力は常にはＯＦＦであり、上述した反射光が入射するとＯＮになる。
【００８２】
尚、図４では、レーザ反射部７４は３個となっているが、これに限ることなく、４個以上あってもよい。その場合は、複数のレーザ反射部７４の反射面の傾斜を適宜に設定して、最終の反射光がレーザ受光部７３に入射するようにすればよい。
【００８３】
図３のＣＰＵ６０は、排紙トレー３３に用紙が排紙されると、空間センサを作動させ、レーザ受光部７３の出力信号がＯＮとなることを確認する。そして、空間センサの作動を一定時間継続し、その一定時間内に、排紙トレー３３に排紙された用紙を取り込むべく人が排紙部３０に手を差し入れると、特定空間領域の矢印ａ、ｂ、ｃ、ｄ、ｅのいずれかのレーザ光路が遮断される。
【００８４】
ＣＰＵ６０は、レーザ光路が遮断されて、レーザ受光部７３の出力がＯＦＦとなったことを認識すると、照明部７０を所定の時間だけ点灯駆動して、排紙トレー３３の排紙面を照明させる。これで、常時陰になっている排紙トレー３３の排紙面が明るくなり、印刷物が確実に確認できるので、印刷物の取り出しが容易になると共に、取り残しも無くなる。
【実施例２】
【００８５】
特には図示しないが、上記の構成に加えて、例えば排紙部の正面側に、人感センサを配置するようにしてもよい。この場合は、ＣＰＵ６０は、人感センサが人の気配を検知したとき空間センサを一定時間作動させ、空間センサが特定空間領域を遮るものを検知したとき、照明部７０を一定時間照明駆動する。
【００８６】
これにより、排紙された用紙を取り込む人が来ていないのに排紙部３０を照明する無駄が無くなる。また、人が単にＭＦＰ１の傍を通っただけで排紙部３０を照明するという無駄もなくなる。
【００８７】
また、照明部７０の照明駆動は、人が排紙部３０から排紙された用紙を取り込むに要するだけの一定時間であるので、ＭＦＰ１の傍を通った人が誤って廃止トレー３３の特定空間領域内に何かを落とすとか置くとかしてレーザ光路を遮った場合でも、照明は一定時間後に消灯するので、大きな無駄は発生しない。
【００８８】
このように、本実施例の構成に構成よれば、ＭＦＰ１に近づいた人が、排紙部３０に手を差し入れたときだけ照明部７０が一定時間照明駆動されるので、照明部７０の消費電力を可及的に節電することができる。
【産業上の利用可能性】
【００８９】
本発明は、印刷物が排出される排紙トレー部がスキャナ部の下側に配置されている多機能画像形成装置に利用することができる。
【符号の説明】
【００９０】
１  多機能型画像形成装置（ＭＦＰ）
２  画像形成部
３  イメージスキャナ部
４  画像形成ユニット部
５  中間転写ベルトユニット
６  給紙部
７  両面印刷用搬送ユニット
８（８Ｍ、８Ｃ、８Ｙ、８Ｋ）  画像形成ユニット
９（７ｍ、７ｃ、７ｙ、７ｋ）  感光体ドラム
１０  電装部
１１  クリーナ
１２  帯電ローラ
１３  光書込ヘッド
１４  現像器
１５  現像ローラ
１６  供給ローラ
１７  転写ベルト
１８  駆動ローラ
１９  従動ローラ
２０  前扉
２１  ベルト位置制御機構
２２  一次転写ローラ
２３  廃トナー回収容器
２４  給紙カセット
２５  用紙取出ローラ
２６  給送ローラ
２７  捌きローラ
２８  待機搬送ローラ対
２９  二次転写ローラ
３０  排紙部
３１  ベルト式熱定着装置
３２  搬出ローラ対
３３  排紙トレー
３４  排紙ローラ対
３５ａ  開始返送路
３５ｂ  中間返送路
３５ｃ  終端返送路
３６ａ、３６ｂ、３６ｃ、３６ｄ  返送ローラ対
３７  クリーニング部
３８  フラットベッド部
３９  ＡＤＦ（Automatic Document Feeder ）部
４１  取っ手
４２  排紙トレー部
４３  副走査方向スキャン部
４４  読取部
４５  操作パネル
４６  表示部
４７  ボタン部
４８  旋回搬送部
４９  給紙トレー
５１  横幅規制板
５２  給紙ベルト
５３  捌きローラ
５４  待機ローラ対
５５  旋回搬送ローラ
５６（５６ａ、５６ｂ、５６ｃ）  従動ローラ
５８  排紙ローラ対
６０  ＣＰＵ（central processing unit)
６１  インターフェイスコントローラ（Ｉ／Ｆ＿ＣＯＮＴ）
６２  プリンタコントローラ（ＰＲ＿ＣＯＮＴ）
６３  スキャナコントローラ（ＳＣ＿ＣＯＮＴ）
６４  プリンタ印字部
６５  ＬＥＤ（light emitting diode）光源
６６  イメージセンサ
６７  ＲＯＭ（read only memory）
６８  ＥＥＰＲＯＭ（electrically erasable programmable ROM）
６９  センサ部
７０  照明部
７１  フレームメモリ
７２  レーザ発光部
７３  レーザ受光部
７４（７４−１、７４−２、７４−３）  レーザ反射部
【図３】
0005531775.tif 000002
【図１】
0005531775.tif 000003
【図２】
0005531775.tif 000004
【図４】
0005531775.tif 000005